(57)【要約】【課題】  環境温度の変化に伴って発生する球面収差及び色収差を補正する補正手段が設けられている光ピックアップ装置を提供する。【解決手段】  レーザーダイオード１と合成樹脂製の対物レンズ８との間の光路内に設けられているとともに光軸方向への移動動作によって球面収差を補正し、且つ色収差を補正する回折格子５ａが形成されたコリメートレンズ５を備え、記録動作時温度変化に伴って発生する球面収差を前記コリメートレンズ５の光軸方向への変位動作によって補正し、記録動作状態から再生動作状態への切り換え時に発生する色収差をコリメートレンズ５に形成されている回折格子５ａによって補正する。【選択図】  図１
2009223946.tif 000002
【特許請求の範囲】
【請求項１】
レーザーダイオードから放射されるレーザー光を合成樹脂製の対物レンズに導き、該対物レンズの集光動作によってレーザー光を光ディスクに設けられている信号記録層に集光させることによって信号の記録動作及び信号の読み出し動作を行うように構成された光ピックアップ装置であり、レーザーダイオードと対物レンズとの間の光路内に設けられているとともに光軸方向への移動動作によって球面収差を補正し、且つ色収差を補正する回折格子が形成されたコリメートレンズを備え、記録動作時温度変化に伴って発生する球面収差を前記コリメートレンズの光軸方向への変位動作によって補正し、記録動作状態から再生動作状態への切り換え時に発生する色収差をコリメートレンズに形成されている回折格子にて補正するようにしたことを特徴とする光ピックアップ装置。
【請求項２】
コリメートレンズの光軸方向への変位動作をモーターにて行うようにしたことを特徴とする請求項１に記載の光ピックアップ装置。
【請求項３】
モーターとしてステッピングモーターを使用し、該ステッピングモーターの移動量を駆動パルスの数にて設定するようにしたことを特徴とする請求項２に記載の光ピックアップ装置。
【請求項４】
コリメートレンズに形成される回折格子の形状を輪帯としたことを特徴とする請求項１に記載の光ピックアップ装置。
【発明の詳細な説明】
【技術分野】
【０００１】
本発明は、光ディスクに記録されている信号の読み出し動作や光ディスクへの信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作行うレーザー光としては、波長が６５０ｎｍの赤色光が使用されている。
【０００５】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００６】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００７】
また、このような記録密度の向上が図られた光ディスク規格に対応する光ピックアップ装置は、記録密度の向上に伴って信号記録品質を高めるために要求される光学特性も厳しくなっている。
【０００８】
そして、光ピックアップ装置は、光ディスクに記録されている信号を読み出すために適したレーザー出力や光ディスクに信号を記録するために適したレーザー出力が得られるようにレーザーダイオードへ供給される駆動電流を制御することが出来るように構成されている。斯かるレーザー出力の制御動作は周知のようにレーザーダイオードから前方へ放射されるレーザー光が照射される位置にフロントモニター用の光検出器を設け、斯かる光検出器から得られるモニター信号をレーザーダイオードに駆動電流を供給する駆動回路に帰還させることによって行うように構成されている。
【０００９】
光ディスクに設けられている信号記録層にレーザー光を集光させる対物レンズの材料としてガラスを使用すると温度による影響を受けることがないので、信号の記録特性や再生特性を向上させることが出来るものの高価になるという問題がある。斯かる問題を解決する方法として合成樹脂を射出成型することによって対物レンズを製造する方法が一般に行われている。
【００１０】
合成樹脂製の対物レンズは、温度変化によって球面収差や色収差が発生し、特に記録動作状態から再生動作状態に切り換える場合のようにレーザー出力が大きく変化するとモードホップと呼ばれる問題、即ちレーザー光の波長の変化に伴って対物レンズの焦点位置が
移動し、焦点が外れるという問題が発生する。
【００１１】
斯かる焦点位置がずれる現象は、レーザー光の波長変化に起因して対物レンズに発生する色収差と呼ばれる収差が主な原因であり、斯かる原因によって焦点位置にずれが発生すると光ディスクに記録されている信号の再生動作等を正常に行うことが出来ないという問題が発生する。斯かる問題を解決する方法として対物レンズに回折格子を形成することによって色収差を改善する技術が開発されている。(特許文献１参照。)
【特許文献１】特開平９−３１１２７１号公報
【発明の開示】
【発明が解決しようとする課題】
【００１２】
前述した特許文献には対物レンズに回折格子を設けることによって色収差を補正する技術が開示されているが、Ｂｌｕ−ｒａｙ規格の光ディスクのように大きな開口数の対物レンズを使用する光ピックアップ装置では、曲率半径が小さい対物レンズを使用することになる。
【００１３】
曲率半径が小さい対物レンズに回折格子、例えば回折輪帯を形成するとレーザー光の透過率が低下するため、光ディスクの信号記録層に照射されるレーザー光の強度が不足するという問題がある。斯かるレーザー光の強度低下を考慮するとレーザーダイオードに供給する駆動信号の大きさを大きくする必要があるので、レーザーダイオードから発生する熱が益々大きくなり、対物レンズの球面収差や色収差が大きくなるという問題がある。
【００１４】
本発明は、斯かる問題を解決することが出来る光ピックアップ装置を提供しようとするものである。
【課題を解決するための手段】
【００１５】
本発明は、レーザーダイオードと合成樹脂製の対物レンズとの間の光路内に設けられているとともに光軸方向への移動動作によって球面収差を補正し、且つ色収差を補正する回折格子が形成されたコリメートレンズを備え、記録動作時温度変化に伴って発生する球面収差を前記コリメートレンズの光軸方向への変位動作によって補正し、記録動作状態から再生動作状態への切り換え時に発生する色収差をコリメートレンズに形成されている回折格子にて補正するようにしたことを特徴とするものである。
【００１６】
また、本発明は、コリメートレンズの光軸方向への変位動作をモーターにて行うようにしたことを特徴とするものである。
【００１７】
そして、本発明は、モーターとしてステッピングモーターを使用し、該ステッピングモーターの移動量を駆動パルスの数にて設定するようにしたことを特徴とするものである。
【００１８】
また、本発明は、コリメートレンズに形成される回折格子の形状を輪帯としたことを特徴とするものである。
【発明の効果】
【００１９】
本発明の光ピックアップ装置は、レーザーダイオードと合成樹脂製の対物レンズとの間の光路内に設けられているとともに光軸方向への移動動作によって球面収差を補正し、且つ色収差を補正する回折格子が形成されたコリメートレンズを備え、記録動作時温度変化に伴って発生する球面収差を前記コリメートレンズの光軸方向への変位動作によって補正し、記録動作状態から再生動作状態への切り換え時に発生する色収差をコリメートレンズに形成されている回折格子にて補正するようにしたので、即ち記録動作時のように環境温度の緩やかな上昇に伴って緩やかに増加する球面収差の補正動作はコリメートレンズの移
動動作によって行い、記録動作状態から再生動作状態への切り換えのように急峻な温度変化に伴って発生する色収差の補正動作はコリメートレンズに形成されている回折格子にて行うようにしたので、球面収差及び色収差の補正動作を最良の補正方法にて行うことが出来る。
【００２０】
従って、本発明の光ピックアップ装置によれば光ディスクの信号記録層への信号の記録動作及び該信号記録層に記録されている信号の読み出し動作を行うという光ピックアップ装置として要求される動作を正確に行うことが出来る。
【００２１】
また、本発明の光ピックアップ装置は、曲率半径が対物レンズと比較して大きくすることが出来るコリメートレンズに回折格子を設けることによって環境温度変化に伴って発生する色収差を補正するようにしたので、対物レンズに回折格子を設ける必要がなく、光強度の低下を招かないという利点を有している。
【実施例】
【００２２】
図１は本発明に係る光ピックアップ装置の一実施例、図２に本発明に係るコリメートレンズの断面図、図３は本発明に係るコリメートレンズの平面図でする。
【００２３】
図１において、１は例えば波長が４０５ｎｍの青紫色光であるレーザー光を前方に放射するレーザーダイオード、２は前記レーザーダイオード１から放射されるレーザー光が入射される回折格子であり、レーザー光を０次光であるメインビーム、＋１次光及び−１次光である２つのサブビームに分離する回折格子部２ａと入射されるレーザー光を例えばＳ方向の直線偏光光に変換する１／２波長板２ｂとより構成されている。
【００２４】
３は前記回折格子２を透過したレーザー光が入射される偏光ビームスプリッタであり、Ｓ偏光されたレーザー光の大部分を反射させるとともに一部を透過させ、且つＰ方向の直線偏光光に変換されたレーザー光を透過させる制御膜３ａが設けられている。
【００２５】
４は前記偏光ビームスプリッタ３の制御膜３ａにて反射されたレーザー光が入射される位置に設けられている１／４波長板であり、入射されるレーザー光を直線偏光光から円偏光光に、また反対に円偏光光から直線偏光光に変換する作用を成すものである。５は前記１／４波長板４を透過したレーザー光が入射されるとともに入射されるレーザー光を平行光に変換するコリメートレンズであり、収差補正用モーター６によって光軸方向、即ち矢印Ａ及びＢ方向へ変位せしめられるように構成されている。前記コリメートレンズ５の光軸方向への変位動作によって光ディスクＤの保護層の厚さに基づいて生じる球面収差を補正するように構成されている。
【００２６】
また、前記コリメートレンズ５には、図２及び図３に示すような輪帯形状の回折格子５ａが形成されており、斯かる回折格子５ａによって後述する対物レンズに発生する色収差を補正するように構成されている。斯かる色収差は、環境温度の変化に伴ってレーザー光の波長が変化することによって発生するものであり、色収差が発生するとレーザー光を光ディスクＤに設けられている信号記録層Ｌに集光させる対物レンズの集光動作に悪影響を与えることになる。
【００２７】
７は前記コリメートレンズ５を透過したレーザー光が入射される位置に設けられている立ち上げ用ミラーであり、入射されるレーザー光を合成樹脂にて製造された対物レンズ８の方向に反射させるとともにその他の部分を透過させるように構成されている。９は前記偏光ビームスプリッタ３に設けられている制御膜３ａを透過したレーザー光が照射される位置に設けられているフロントモニター用光検出器であり、照射されるレーザー光のレベルに応じた信号をモニター信号として出力するように構成されている。
【００２８】
斯かる構成において、レーザーダイオード１から放射されたレーザー光は、回折格子２、偏光ビームスプリッタ３、１／４波長板４、コリメートレンズ５、立ち上げ用ミラー７を介して対物レンズ８に入射された後、該対物レンズ８の集光動作によって光ディスクＤの信号記録層Ｌにスポットとして照射されるが、該信号記録層Ｌに照射されたレーザー光は戻り光として反射されることになる。
【００２９】
光ディスクＤの信号記録層Ｌから反射された戻り光は、対物レンズ８、立ち上げ用ミラー７、コリメートレンズ５及び１／４波長板４を通して偏光ビームスプリッタ３の制御膜３ａに入射される。このようにして偏光ビームスプリッタ３の制御膜３ａに入射される戻り光は、１／４波長板４による位相変更動作によってＰ方向の直線偏光光に変換されているので、斯かる戻り光は前記制御膜３ａにて反射されることはなく、制御用レーザー光として透過することになる。
【００３０】
１０は前記偏光ビームスプリッタ３の制御膜３ａを透過した制御用レーザー光が入射されるセンサーレンズであり、ＰＤＩＣと呼ばれる光検出器１１に設けられている受光部に制御用レーザー光に非点収差を付加させて照射する作用を成すものである。前記光検出器１１には、周知の４分割センサー等が設けられており、メインビームの照射動作によって光ディスクＤの信号記録層Ｌに記録されている信号の読み取り動作に伴う信号生成動作及び非点収差法によるフォーカシング制御動作を行うための信号生成動作、そして２つのサブビームの照射動作によってトラッキング制御動作を行うための信号生成動作を行うように構成されている。斯かる各種の信号生成のための制御動作は、周知であるので、その説明は省略する。
【００３１】
前述したように本発明に係る光ピックアップ装置は構成されているが、斯かる構成において、前記対物レンズ８は、光ピックアップ装置の基台に４本または６本の支持ワイヤーによって光ディスクＤの信号面に対して垂直方向、即ちフォーカシング方向への変位動作及び光ディスクＤの径方向、即ちトラッキング方向への変位動作を可能に支持されているレンズ保持枠(図示せず)に固定されている。
【００３２】
１２は前記対物レンズ８が固定されているレンズ保持枠に設けられているフォーカシングコイルであり、基台に固定されている磁石との協働によって対物レンズ８をフォーカシング方向へ変位させる作用を有している。１３は前記対物レンズ８が固定されているレンズ保持枠に設けられているトラッキングコイルであり、基台に固定されている磁石との協働によって対物レンズ８をトラッキング方向へ変位させる作用を有している。
【００３３】
前述したフォーカシングコイル１２及びトラッキングコイル１３が組み込まれた光ピックアップ装置の構成及び各コイルの駆動動作によるフォーカシング制御動作及びトラッキング制御動作は周知であり、その説明は省略する。
【００３４】
１４は前記光検出器１１を構成するメインビームを受光するセンサーから光ディスクＤの信号記録層に記録されている信号の読み取り動作に対応して得られる信号であるＲＦ信号、メインビームを受光するセンサーからレーザー光の合焦動作に応じて得られる信号であるフォーカスエラー信号及びサブビームを受光するセンサーからレーザー光のトラッキング動作に応じて得られる信号であるトラッキングエラー信号を生成する光検出信号生成回路である。
【００３５】
１５は前記フロントモニター用光検出器９から得られる信号が入力されるレーザー出力検出回路であり、入力される信号のレベルに応じた信号をモニター信号として出力するように構成されている。
【００３６】
１６は前記光検出信号生成回路１４及びレーザー出力検出回路１５等から出力される各種の信号が入力されるとともに各信号に基づいて光ピックアップ装置の各種の制御動作を行うピックアップ制御回路である。１７は前記光検出信号生成回路１４から出力されるフォーカスエラー信号に基づいて前記ピックアップ制御回路１６から出力されるフォーカス制御信号が入力されるフォーカシングコイル駆動回路であり、前記フォーカシングコイル１２に駆動信号を供給するように構成されている。１８は前記光検出信号生成回路１４から出力されるトラッキングエラー信号に基づいて前記ピックアップ制御回路１６から出力されるトラッキング制御信号が入力されるトラッキングコイル駆動回路であり、前記トラッキングコイル１３に駆動信号を供給するように構成されている。
【００３７】
１９は前記レーザーダイオード１に駆動信号を供給するレーザーダイオード駆動回路であり、前記レーザー出力検出回路１５から得られるモニター信号に基づいてピックアップ制御回路１６から出力される制御信号によってレーザー出力を調整するように構成されている。２０は前記収差補正用モーター６に駆動信号を供給することによって前記コリメートレンズ５を光軸方向へ変位させて球面収差を補正する収差補正用モーター駆動回路であり、前記ピックアップ制御回路１６によって制御されるように構成されている。
【００３８】
以上に説明したように本発明に係る光ピックアップ装置は構成されているが、次に動作について説明する。
【００３９】
光ディスクＤに設けられている信号記録層Ｌに記録されている信号の読み出し動作を行うための操作を行うと、ピックアップ制御回路１６から光ピックアップ装置を構成する各回路へ駆動制御信号が供給されることになる。レーザーダイオード駆動回路１９からレーザーダイオード１に対して信号の読み出し動作を正確に行うために前もって設定されているレーザー出力を得ることが出来る駆動信号が供給され、該レーザーダイオード１から所望の出力のレーザー光が放射されることになる。
【００４０】
前記レーザーダイオード１から放射されたレーザー光は回折格子２に入射され、該回折格子２に組み込まれている回折格子部２ａによってメインビームとサブビームに分離されるとともに１／２波長板２ｂによってＳ方向の直線偏光光に変換される。前記回折格子２を透過したレーザー光は偏光ビームスプリッタ３に入射され、該偏光ビームスプリッタ３に設けられている制御膜３ａによって大部分のレーザー光が反射されるとともに一部のレーザー光が透過せしめられる。
【００４１】
前記偏光ビームスプリッタ３に設けられている制御膜３ａにて反射されたレーザー光は１／４波長板４に入射されて直線偏光光から円偏光光に変換された後にコリメートレンズ５に入射される。前記コリメートレンズ５に入射されたレーザー光は平行光に変換されて立ち上げ用ミラー７に入射される。
【００４２】
前記立ち上げ用ミラー７に入射されたレーザー光は、該立ち上げ用ミラー７によって対物レンズ８の方向に反射される。前記立ち上げ用ミラー７によって反射されたレーザー光は、前記対物レンズ８に入射されるので、該対物レンズ８による集光動作が行われることになる。
【００４３】
前記対物レンズ８による信号記録層Ｌへのレーザー光の集光動作は、例えば対物レンズ８を光ディスクＤから離れた位置から近づける動作を行うことによって行われる。斯かる対物レンズ８の変位動作はフォーカシングコイル駆動回路１７からフォーカシングコイル１２に駆動信号を供給することによって行われるが、信号記録層Ｌへの集光動作が行われると、該信号記録層Ｌから反射されるレーザー光が戻り光として対物レンズ８に対して光
ディスクＤ側から入射されることになる。
【００４４】
前記対物レンズ８に入射された戻り光は、立ち上げ用ミラー７、コリメートレンズ５及び１／４波長板４を介して偏光ビームスプリッタ３に設けられている制御膜３ａに入射される。前記制御膜３ａに入射された戻り光は１／４波長板４によってＰ方向の直線偏光光に変換されているので、該制御膜３ａにて反射されることはなく全てが制御用レーザー光として透過することになる。
【００４５】
前記制御膜３ａを透過した戻り光である制御用レーザー光は、センサーレンズ１０に入射された後、該センサーレンズ１０によって非点収差が付加されて光検出器１１に設けられているセンサー部に照射される。斯かる制御用レーザー光が光検出器１１に照射される結果、該光検出器１１に組み込まれている４分割センサー等からメインビーム及びサブビームの照射スポットの位置及び形状変化に基づく検出信号を得ることが出来る。
【００４６】
斯かる状態にあるとき、光検出器１１から得られる検出信号に基づいて光検出信号生成回路１４から生成されるフォーカスエラー信号及びトラッキングエラー信号がピックアップ制御回路１６に入力される。斯かるフォーカスエラー信号及びトラッキングエラー信号がピックアップ制御回路１６に入力されると、各エラー信号に基づく制御信号がフォーカシングコイル駆動回路１７及びトラッキングコイル駆動回路１８に対して出力される。その結果、フォーカシングコイル駆動回路１７からフォーカシングコイル１２に対して制御信号が供給されるので、該フォーカシングコイル１２による対物レンズ８のフォーカシング方向への変位動作が行われレーザー光を信号記録層Ｌに集光させるフォーカシング制御動作を行うことが出来る。また、トラッキングコイル駆動回路１８からトラッキングコイル１３に対して制御信号が供給されるので、該トラッキングコイル１３による対物レンズ８のトラッキング方向への変位動作が行われレーザー光を信号記録層Ｌに設けられている信号トラックに追従させるトラッキング制御動作を行うことが出来る。
【００４７】
前述したように光ピックアップ装置におけるフォーカシング制御動作及びトラッキング制御動作が行われるので、光ディスクＤの信号記録層Ｌに記録されている信号の読み出し動作を行うことが出来る。斯かる読み出し動作にて得られる再生信号は、光検出信号生成回路１４から生成されるＲＦ信号を周知のように復調することによって情報データとして得ることが出来る。
【００４８】
前述したように光ディスクＤに設けられている信号記録層Ｌに記録されている信号の読み出し動作は行われるが、斯かる読み出し動作を行う状態にあるとき、収差補正手段として設けられているコリメートレンズ５は、収差補正用モーター駆動回路２０から収差補正用モーター６に供給される駆動信号によって信号記録層Ｌに対する球面収差が最も少なくなる動作位置に変位せしめられるように構成されている。斯かる動作位置の設定動作は、例えば再生信号に含まれるジッタ値が最適な値になる位置またはＲＦ信号のレベルが最大になる位置になるように設定すれば良い。
【００４９】
前述したようにコリメートレンズ５を動作位置に変位させる動作を行うことによって光ディスクＤに設けられている信号記録層Ｌに記録されている信号の読み出し動作を最適な状態にて行うことが出来る。
【００５０】
また、前述した信号の読み出し動作が行われているとき、レーザーダイオード駆動回路１９からレーザーダイオード１に対して所望のレーザー出力を得ることが出来る駆動信号が供給された状態にあるとともにフロントモニター用光検出器９から得られる信号に基づいてレーザー出力検出回路１５から出力されるモニター信号がピックアップ制御回路１６に入力された状態にある。
【００５１】
このようにピックアップ制御回路１６にレーザー出力検出回路１５から出力されるモニター信号が入力されると、そのモニター信号のレベルに基づく制御信号がピックアップ制御回路１６からレーザーダイオード駆動回路１９に供給されることになる。従って、斯かるピックアップ制御回路１６からレーザーダイオード駆動回路１９に対して供給される駆動信号のレベルが所定の値になるように制御するように構成すれば、レーザーダイオード１から放射されるレーザー光の出力を所望のレベルになるように自動的に制御することが出来る。斯かる動作は、レーザーの自動出力制御動作と呼ばれているものであり、その説明は省略する。
【００５２】
以上に説明したように本発明に係る光ピックアップ装置は構成されているが、次に本発明の要旨である収差補正動作について説明する。
【００５３】
前述したようにレーザーダイオード１から放射されるレーザー光は、回折格子２、偏光ビームスプリッタ３、１／４波長板４、コリメートレンズ５及び立ち上げ用ミラー７にて形成される光路を通して対物レンズ８に入射され、該対物レンズ８の集光動作によって光ディスクＤの信号記録層Ｌに所望のスポットとして照射される。
【００５４】
また、前述した動作によって前記光ディスクＤの信号記録層Ｌに照射されるレーザー光は、該信号記録層Ｌにて反射されることになる。このようにして信号記録層Ｌから反射されるレーザー光である戻り光は、対物レンズ８、立ち上げ用ミラー７、コリメートレンズ５、１／４波長板４、偏光ビームスプリッタ３及びセンサーレンズ１０にて構成される光路を通して光検出器１１に制御用レーザー光として照射される。
【００５５】
このようにして制御用レーザー光が光検出器１１に照射されると、光検出器１１から前述したような各種の信号が得られるので、斯かる信号を利用することによって光ピックアップ装置における信号の読み出し動作、フォーカシング制御動作及びトラッキング制御動作を正常に行うことが出来る。
【００５６】
また、レーザーダイオード１に対してレーザーダイオード駆動回路１９から駆動信号が供給されるが、記録動作を行う場合には信号の読み出し動作を行う場合と比較して例えば数十倍の大きさの駆動信号がレーザーダイオード１に供給される。その結果、記録動作時には、レーザーダイオード１やレーザーダイオード駆動回路１９から発生する熱量が大きくなり、光ピックアップ装置内の温度、即ち環境温度が上昇することになる。
【００５７】
斯かる環境温度が上昇すると合成樹脂にて製造されている対物レンズ８が膨張することによって変形し、集光特性の変化及びレーザーダイオード１から放射されるレーザー光の波長が変化するという特性がある。斯かる環境温度の変化に伴ってレーザー光の波長が変化すると対物レンズ８の屈折特性が変化するため球面収差や色収差が発生し、信号記録層Ｌにレーザー光を集光させる位置のずれ、即ち焦点位置がずれることになる。
【００５８】
記録動作が開始されると、その記録動作時間の経過に伴って環境温度が上昇するが、斯かる環境温度の変化は緩やかに行われるので、球面収差や色収差は緩やかに増大することになる。斯かる場合における収差の増大変化は緩やかに行われるため、本発明の光ピックアップ装置では、コリメートレンズ５を光軸方向へ移動させることによって収差を補正するように構成されている。
【００５９】
記録動作状態における環境温度変化に伴う球面収差の増加は前述したように緩やかに行われるので、光検出器１１から得られる信号に基づいて光検出信号生成回路１４から生成される再生信号であるＲＦ信号のレベルが最大になる位置に、または再生信号に含まれる
ジッタ値が最適な値になる位置にコリメートレンズ５を移動させる動作が行われる。斯かる収差補正のためのコリメートレンズ５の移動動作は、収差補正用モーター駆動回路２０から収差補正用モーター６に対して駆動信号を供給することによって行われる。
【００６０】
コリメートレンズ５の移動動作は収差補正用モーター６の回転動作によって行われるが、斯かる収差補正用モーター６としてステッピングモーターを使用すると、コリメートレンズ５の移動位置を精度良く規定することが出来る。即ち、ステッピングモーターは、パルス状の駆動信号によって回転駆動されるので、駆動信号として供給されるパルスの数によって回転量を精度良く設定することが出来るという特徴を有している。従って、コリメートレンズ５の移動量と収差補正量との関係をメモリー(図示せず)等に記憶させておけば、球面収差の増大に対するコリメートレンズ５の移動量を正確に対応させることが出来るので、球面収差の補正動作を正確に行うことが出来る。
【００６１】
以上に説明したように環境温度変化が緩やかに行われる場合に発生する球面収差に対する補正動作は行われるが、次に環境温度変化が急峻に行われる場合に発生する色収差に対する補正動作について説明する。
【００６２】
斯かる環境温度の変化が急峻に行われる動作としては、例えば記録動作状態から再生動作状態への切り換え動作がある。斯かる切り換え動作が行われると、レーザーダイオード１に供給される駆動信号の大きさが瞬時に低下せしめられる。その結果、レーザーダイオード１から生成される熱が少なくなるので、レーザーダイオード１の温度が大きく変化し、レーザー光の波長変化が急峻に行われる。
【００６３】
斯かる記録動作状態から再生動作状態の切り換え動作が行われると、レーザーダイオード１から放射されるレーザー光の波長が変化するため、対物レンズ８の屈折率の変化に伴う色収差が発生することになる。前記対物レンズ８による色収差が発生すると、該対物レンズ８の集光点、即ち焦点位置が変化するため信号記録層Ｌから焦点がずれる、所謂デフォーカスと呼ばれる状態になる。
【００６４】
本発明の光ピックアップ装置では、斯かる色収差を補正する回折格子５ａをコリメートレンズ５に設けたことを特徴とするものである。斯かる回折格子５ａは、図２及び図３に示すように輪帯状に形成されており、レーザー光の波長変化に伴って発生する色収差を補正する形状になるようにされている。
【００６５】
即ち、記録動作状態から再生動作状態への切り換え動作によって環境温度が急峻に変化してレーザー光の波長が変化してもそのレーザー光の波長の変化に対応して発生する色収差をコリメートレンズ５に形成されている回折格子５ａが補正するため、対物レンズ８の集光点がずれることはなく、信号記録層Ｌ上にレーザー光のスポットを正確に生成させることが出来る。
【００６６】
以上に説明したように本発明の光ピックアップ装置によれば、環境温度の緩やかな変化に伴って発生する球面収差は、コリメートレンズ５の光軸方向への変位動作によって補正し、環境温度の急峻な変化に伴って発生する色収差はコリメートレンズ５に設けられている回折格子５ａによって補正するようにしたので、収差の発生原因に対応した収差補正動作を行うことが出来る。
【００６７】
尚、本実施例では、コリメートレンズ５に輪帯状の回折格子５ａを形成したが、その形状は限定されるものではなく、種々変更可能である。また、輪帯状の回折格子５ａをコリメートレンズ５の対物レンズ８側の面に形成したが、反対側や両面に設けることも可能である。
【図面の簡単な説明】
【００６８】
【図１】本発明に係る光ピックアップ装置の一実施例を示す図である。
【図２】本発明に係るコリメートレンズの断面図である。
【図３】本発明に係るコリメートレンズの平面図である。
【符号の説明】
【００６９】
１      レーザーダイオード
３      偏光ビームスプリッタ
５      コリメートレンズ
５ａ    回折格子
６      収差補正用モーター
８      対物レンズ
１１    光検出器
１４    光検出信号生成回路
１６    ピックアップ制御回路
１９    レーザーダイオード駆動回路
２０    収差補正用モーター駆動回路
【図１】
2009223946.tif 000003
【図２】
2009223946.tif 000004
【図３】
2009223946.tif 000005